(57)【要約】【課題】映像の応答性が要求されるようなコンテンツの場合にも、視聴者が快適に視聴することが可能で、かつ、所定のコンテンツの場合に伝送データのデータ量を小さくすることが可能な伝送装置を提供する。【解決手段】この伝送装置（無線伝送装置４）は、コンテンツデータを所定の圧縮率で圧縮するデータ圧縮部４ｃと、データ圧縮部４ｃにより圧縮されたコンテンツデータを表示装置に伝送する無線送受信部４ｄと、コンテンツの種類を判別するとともに、判別したコンテンツの種類に基づいて、コンテンツデータの圧縮率を切り替えるようにデータ圧縮部４ｃを制御する制御部４ｅとを備える。【選択図】図２
2011109490.tif 000002
【特許請求の範囲】
【請求項１】
コンテンツデータを所定の圧縮率で圧縮するデータ圧縮部と、
前記データ圧縮部により圧縮されたコンテンツデータを表示装置に伝送する伝送手段と、
前記コンテンツの種類を判別するとともに、判別した前記コンテンツの種類に基づいて、前記コンテンツデータの圧縮率を切り替えるように前記データ圧縮部を制御する制御部とを備える、伝送装置。
【請求項２】
前記制御部は、前記コンテンツが、ユーザの操作に対して前記表示装置に反映される映像の表示の応答性が高いことが要求されない第１コンテンツであると判別した場合に、前記第１コンテンツのコンテンツデータを第１圧縮率で圧縮するように前記データ圧縮部を制御し、前記コンテンツが、ユーザの操作に対して前記表示装置に反映される映像の表示の応答性が高いことが要求される第２コンテンツであると判別した場合に、前記第２コンテンツのコンテンツデータを前記第１圧縮率よりも低い第２圧縮率で圧縮するように前記データ圧縮部を制御する、請求項１に記載の伝送装置。
【請求項３】
前記第２コンテンツは、ゲームを含む、請求項２に記載の伝送装置。
【請求項４】
前記第２コンテンツのコンテンツデータに含まれる前記コンテンツの種類を判別するためのデータを予め記憶する記憶部をさらに備え、
前記制御部は、前記記憶部に予め記憶された前記コンテンツの種類を判別するためのデータと、前記コンテンツデータとを比較することにより、コンテンツが、前記第２コンテンツであるか否かを判別するように構成されている、請求項２または３に記載の伝送装置。
【請求項５】
ユーザが操作することによりコンテンツの種類を入力する入力手段をさらに備え、
前記制御部は、前記入力手段の操作結果に基づいて、コンテンツが、前記第２コンテンツであるか否かを判別するように構成されている、請求項２または３に記載の伝送装置。
【請求項６】
前記伝送手段は、無線伝送により、前記データ圧縮部により圧縮されたコンテンツデータを前記表示装置に伝送するように構成されている、請求項１〜５のいずれか１項に記載の伝送装置。
【請求項７】
前記コンテンツデータの解像度を変換する解像度変換部をさらに備え、
前記制御部は、前記データ圧縮部による前記コンテンツデータの圧縮率を切り替えるとともに、前記解像度変換部によって前記コンテンツデータの解像度を変換し、切り替えられた圧縮率で圧縮され、かつ、解像度が変換されたコンテンツデータを前記伝送手段により前記表示装置に伝送するように、前記データ圧縮部、前記解像度変換部および前記伝送手段を制御するように構成されている、請求項１〜６のいずれか１項に記載の伝送装置。
【請求項８】
前記表示装置は、高い解像度によって映像を表示する高解像度状態と、低い解像度によって映像を表示する低解像度状態とのいずれかの状態によって前記コンテンツを表示可能に構成されており、
前記表示装置の前記高解像度状態または前記低解像度状態のいずれかの表示状態情報を取得する取得手段をさらに備え、
前記制御部は、前記取得手段により取得した前記表示装置の表示状態情報に基づいて、前記表示装置が前記高解像度状態であるか前記低解像度状態であるかを判断するとともに、前記判断結果に基づいて前記コンテンツデータの解像度を変換するように前記解像度変換部を制御する、請求項７に記載の伝送装置。
【請求項９】
前記データ圧縮部、前記伝送手段および前記制御部を備える前記伝送装置は、前記コンテンツデータを提供するコンテンツ提供機器に組み込まれている、請求項１〜８のいずれか１項に記載の伝送装置。
【請求項１０】
コンテンツの種類を判別するステップと、
前記コンテンツの種類の判別結果に基づいて、前記コンテンツデータの圧縮率を切り替えて前記コンテンツデータを圧縮するステップと、
切り替えられた圧縮率で圧縮された前記コンテンツデータを表示装置に伝送するステップとを備える、伝送方法。
【請求項１１】
前記切り替えられた圧縮率で圧縮された前記コンテンツデータを表示装置に伝送するステップは、無線伝送により、前記切り替えられた圧縮率で圧縮された前記コンテンツデータを表示装置に伝送するステップを含む、請求項１０に記載の伝送方法。
【発明の詳細な説明】
【技術分野】
【０００１】
この発明は、伝送装置および伝送方法に関し、特に、コンテンツデータを表示装置に伝送する伝送装置および伝送方法に関する。
【背景技術】
【０００２】
従来、コンテンツデータを表示装置に伝送する伝送装置が知られている（たとえば、特許文献１参照）。
【０００３】
上記特許文献１には、映像データ（コンテンツデータ）をワイヤレス（無線）で表示装置に伝送する無線通信装置（伝送装置）が開示されている。この特許文献１では、表示装置の表示解像度がＨＤ（Ｈｉｇｈ  Ｄｅｆｉｎｉｔｉｏｎ：高解像度）またはＳＤ（Ｓｔａｎｄａｒｄ  Ｄｅｆｉｎｉｔｉｏｎ：標準解像度）であるかを判断し、表示装置の表示解像度がＳＤの場合に、ＨＤの映像データを送信する場合には、映像データをＨＤからＳＤに変換した後に無線通信により表示装置に伝送している。これにより、ＳＤしか表示できない表示装置にデータ量の大きいＨＤの映像データを伝送することに起因して、そのＨＤの映像データによって無線帯域が占有されてしまうことを抑制している。また、上記特許文献１では、無線通信により伝送する際に、映像データを圧縮してから伝送している。
【０００４】
しかしながら、上記特許文献１に記載の無線通信装置（伝送装置）のように、映像データをＨＤ（高解像度）からＳＤ（標準解像度）に変換するだけでは、十分に映像データのデータ量が小さくならず、場合によっては映像データによって無線帯域が占有されてしまう場合があるという不都合がある。ここで、上記特許文献１では、伝送する前に映像データを圧縮している。映像データを圧縮することによって伝送データのデータ量がさらに小さくなるので、伝送データによって無線帯域が占有されてしまうことを抑制することが可能であると考えられる。
【先行技術文献】
【特許文献】
【０００５】
【特許文献１】特開２００５−２８６５１７号公報
【発明の概要】
【発明が解決しようとする課題】
【０００６】
しかしながら、圧縮された映像データ（コンテンツデータ）を表示装置において表示するためには、伝送された映像データを受信側（表示装置側）において展開する必要がある。ここで、圧縮率が高いデータを展開するためには長い時間が必要となってしまうので、伝送データのデータ量を小さくするために圧縮率を高めた場合には、展開に要する時間が増加する分、表示装置の映像に遅延が生じ、その結果、表示装置における映像の応答性が低下してしまう。このように映像の応答性が低下した場合においては、たとえば、映像の応答性が要求されるようなコンテンツの場合には、視聴者が快適に視聴することができなくなってしまうという問題点がある。
【０００７】
この発明は、上記のような課題を解決するためになされたものであり、この発明の１つの目的は、映像の応答性が要求されるようなコンテンツの場合にも、視聴者が快適に視聴することが可能で、かつ、所定のコンテンツの場合に伝送データのデータ量を小さくすることが可能な伝送装置および伝送方法を提供することである。
【課題を解決するための手段および発明の効果】
【０００８】
この発明の第１の局面による伝送装置は、コンテンツデータを所定の圧縮率で圧縮するデータ圧縮部と、データ圧縮部により圧縮されたコンテンツデータを表示装置に伝送する伝送手段と、コンテンツの種類を判別するとともに、判別したコンテンツの種類に基づいて、コンテンツデータの圧縮率を切り替えるようにデータ圧縮部を制御する制御部とを備える。
【０００９】
上記第１の局面による伝送装置では、上記のように、コンテンツの種類を判別するとともに、判別したコンテンツの種類に基づいて、コンテンツデータの圧縮率を切り替えるようにデータ圧縮部を制御する制御部を設けることによって、コンテンツデータの種類に応じてコンテンツデータの圧縮率を切り替えることができる。これにより、たとえば、応答性が要求される種類のコンテンツを伝送する場合には圧縮率を低くして映像の応答性が低下するのを抑制することができるとともに、応答性が要求されるコンテンツ以外の所定のコンテンツについては高い圧縮率で圧縮を行うことにより伝送手段によって表示装置に伝送する伝送データのデータ量を小さくすることができる。その結果、応答性が要求されるようなコンテンツの場合にも、視聴者が快適に視聴することができるとともに、応答性が要求されないような所定のコンテンツの場合に、伝送データのデータ量を小さくすることができる。
【００１０】
上記第１の局面による伝送装置において、好ましくは、制御部は、コンテンツが、ユーザの操作に対して表示装置に反映される映像の表示の応答性が高いことが要求されない第１コンテンツであると判別した場合に、第１コンテンツのコンテンツデータを第１圧縮率で圧縮するようにデータ圧縮部を制御し、コンテンツが、ユーザの操作に対して表示装置に反映される映像の表示の応答性が高いことが要求される第２コンテンツであると判別した場合に、第２コンテンツのコンテンツデータを第１圧縮率よりも低い第２圧縮率で圧縮するようにデータ圧縮部を制御する。このように構成すれば、表示装置の映像に遅延が生じた場合に視聴者の快適性が低下するような、映像の応答性が要求されるコンテンツと、表示装置の映像に遅延が生じた場合でも視聴者の快適性が低下しないような、映像の応答性が要求されないコンテンツとを判別し、映像の応答性が要求されるコンテンツについては第２圧縮率によって圧縮率を低くしてコンテンツデータの伝送を行い、映像の応答性が要求されないコンテンツについては第１圧縮率によって圧縮率を高くしてコンテンツデータの伝送を行うことができる。これにより、コンテンツのうち映像の応答性が要求されないコンテンツについては高い圧縮率で圧縮を行うことにより伝送手段によって表示装置に伝送する伝送データのデータ量を小さくし、コンテンツのうち映像の応答性が要求されるコンテンツを伝送する場合には圧縮率を低くして映像の応答性を確保することができる。
【００１１】
この場合、好ましくは、第２コンテンツは、ゲームを含む。このように構成すれば、ゲームのようにユーザの操作に対して表示装置に反映される映像の表示の応答性が高いことが要求されるコンテンツを伝送する場合には、圧縮率を低くして表示装置への伝送を行うことができる。これにより、ゲームを行う場合には、ユーザの操作に対する映像の応答性が確保されるので、ユーザは快適にゲーム映像を視聴することができる。また、ゲーム以外のコンテンツについては、圧縮率を高くすることにより伝送データのデータ量を小さくすることができる。
【００１２】
上記第１コンテンツと第２コンテンツとを判別する構成において、好ましくは、第２コンテンツのコンテンツデータに含まれるコンテンツの種類を判別するためのデータを予め記憶する記憶部をさらに備え、制御部は、記憶部に予め記憶されたコンテンツの種類を判別するためのデータと、コンテンツデータとを比較することにより、コンテンツが、第２コンテンツであるか否かを判別するように構成されている。このように構成すれば、記憶部に予め記憶させておいたコンテンツの種類を判別するためのデータを用いて、伝送対象のコンテンツが第２コンテンツであるか否かを容易に制御部が判別することができる。
【００１３】
上記第１コンテンツと第２コンテンツとを判別する構成において、好ましくは、ユーザが操作することによりコンテンツの種類を入力する入力手段をさらに備え、制御部は、入力手段の操作結果に基づいて、コンテンツが、第２コンテンツであるか否かを判別するように構成されている。このように構成すれば、コンテンツの内容を知っているユーザが伝送対象のコンテンツが第２コンテンツであるか否かを入力手段を用いて装置に入力することにより、制御部は、その入力結果に基づいて圧縮率を切り替えることができる。
【００１４】
上記第１の局面による伝送装置において、好ましくは、伝送手段は、無線伝送により、データ圧縮部により圧縮されたコンテンツデータを表示装置に伝送するように構成されている。このように、使用できる帯域が限られている伝送路を用いる無線伝送によりコンテンツデータの伝送を行う伝送装置に、上記第１の局面による構成を適用することによって、応答性が要求されるようなコンテンツの場合には、低い圧縮率で伝送データのデータ量を小さくすることによって、そのコンテンツを視聴者が快適に視聴することができ、応答性が要求されないようなコンテンツの場合には、高い圧縮率で伝送データのデータ量をより小さくすることができる。これにより、無線伝送の伝送状態が良好でない場合にも、容易にコンテンツデータを伝送することができる。
【００１５】
上記第１の局面による伝送装置において、好ましくは、コンテンツデータの解像度を変換する解像度変換部をさらに備え、制御部は、データ圧縮部によるコンテンツデータの圧縮率を切り替えるとともに、解像度変換部によってコンテンツデータの解像度を変換し、切り替えられた圧縮率で圧縮され、かつ、解像度が変換されたコンテンツデータを伝送手段により表示装置に伝送するように、データ圧縮部、解像度変換部および伝送手段を制御するように構成されている。このように構成すれば、伝送するコンテンツデータのデータ量をデータ圧縮部によって小さくするのみならず、所定の場合に解像度変換部によってコンテンツデータの解像度を下げることにより、伝送するデータ量をさらに小さくすることができる。
【００１６】
この場合、好ましくは、表示装置は、高い解像度によって映像を表示する高解像度状態と、低い解像度によって映像を表示する低解像度状態とのいずれかの状態によってコンテンツを表示可能に構成されており、表示装置の高解像度状態または低解像度状態のいずれかの表示状態情報を取得する取得手段をさらに備え、制御部は、取得手段により取得した表示装置の表示状態情報に基づいて、表示装置が高解像度状態であるか低解像度状態であるかを判断するとともに、判断結果に基づいてコンテンツデータの解像度を変換するように解像度変換部を制御する。このように構成すれば、コンテンツデータが高解像度である場合に、表示装置が低解像度状態である場合には解像度変換部によってコンテンツデータの解像度を下げることができる。これにより、表示装置の表示状態に合わせて伝送するデータ量を小さくすることができる。
【００１７】
上記第１の局面による伝送装置において、好ましくは、データ圧縮部、伝送手段および制御部を備える伝送装置は、コンテンツデータを提供するコンテンツ提供機器に組み込まれている。このように構成すれば、コンテンツ提供機器と、コンテンツ提供機器とは別個の伝送装置とをケーブルなどで接続する場合と異なり、コンテンツ提供機器の構成要素と伝送装置の構成要素（データ圧縮部および伝送手段など）とをコンテンツ提供機器の１つの制御部によって制御することができる。
【００１８】
この発明の第２の局面による伝送方法は、コンテンツの種類を判別するステップと、コンテンツの種類の判別結果に基づいて、コンテンツデータの圧縮率を切り替えてコンテンツデータを圧縮するステップと、切り替えられた圧縮率で圧縮されたコンテンツデータを表示装置に伝送するステップとを備える。
【００１９】
この第２の局面による伝送方法では、上記のように、コンテンツの種類を判別するとともに、判別したコンテンツの種類に基づいて、コンテンツデータの圧縮率を切り替えてコンテンツデータを圧縮することによって、コンテンツデータの種類に応じてコンテンツデータの圧縮率を切り替えることができる。これにより、たとえば、応答性が要求される種類のコンテンツを伝送する場合には圧縮率を低くして映像の応答性が低下するのを抑制することができるとともに、応答性が要求されるコンテンツ以外の所定のコンテンツについては高い圧縮率で圧縮を行うことにより表示装置に伝送する伝送データのデータ量を小さくすることができる。その結果、応答性が要求されるようなコンテンツの場合にも、視聴者が快適に視聴することができるとともに、応答性が要求されないような所定のコンテンツの場合に、伝送データのデータ量を小さくすることができる。
【００２０】
上記第２の局面による伝送方法において、好ましくは、切り替えられた圧縮率で圧縮されたコンテンツデータを表示装置に伝送するステップは、無線伝送により、切り替えられた圧縮率で圧縮されたコンテンツデータを表示装置に伝送するステップを含む。このように、使用できる帯域が限られている伝送路を用いる無線伝送によりコンテンツデータの伝送を行う伝送方法に、上記第２の局面による構成を適用することによって、応答性が要求されるようなコンテンツの場合には、低い圧縮率で伝送データのデータ量を小さくすることによって、そのコンテンツを視聴者が快適に視聴することができ、応答性が要求されないようなコンテンツの場合には、高い圧縮率で伝送データのデータ量をより小さくすることができる。これにより、無線伝送の伝送状態が良好でない場合にも、容易にコンテンツデータを伝送することができる。
【図面の簡単な説明】
【００２１】
【図１】本発明の第１実施形態による無線伝送装置を用いた無線伝送システムの全体構成を示した概念図である。
【図２】本発明の第１実施形態による無線伝送装置を用いた無線伝送システムの全体構成を示すブロック図である。
【図３】本発明の第１実施形態による無線伝送装置の表示装置の表示状態を説明するための図である。
【図４】本発明の第１実施形態による無線伝送装置の制御を説明するためのフローチャートである。
【図５】本発明の第２実施形態による無線伝送装置（コンテンツ提供機器）を用いた無線伝送システムの全体構成を示した概念図である。
【図６】本発明の第２実施形態による無線伝送装置（コンテンツ提供機器）を用いた無線伝送システムの全体構成を示すブロック図である。
【図７】本発明の第３実施形態による無線伝送装置を用いた無線伝送システムの全体構成を示すブロック図である。
【発明を実施するための形態】
【００２２】
以下、本発明を具体化した実施形態を図面に基づいて説明する。
【００２３】
（第１実施形態）
まず、図１〜図３を参照して、本発明の第１実施形態による無線伝送装置４を用いた無線伝送システム１の構成について説明する。
【００２４】
図１に示すように、無線伝送システム１は、表示装置２と、コンテンツ提供機器３と、コンテンツ提供機器３により提供されるコンテンツデータを表示装置２に対して無線により伝送する無線伝送装置４とを備えている。コンテンツ提供機器３と無線伝送装置４とはＨＤＭＩケーブル５によって接続されている。
【００２５】
表示装置２は、映像を表示する表示機能および無線受信機能を有する機器であり、第１実施形態では、テレビジョン２１、２２、携帯型音楽プレーヤ２３および携帯電話機２４が含まれる。これらの表示装置２の間では、表示することのできる映像の解像度が異なる。すなわち、同じテレビジョンでも、ＨＤ（高解像度）対応のテレビジョン２１とＳＤ（標準解像度）対応のテレビジョン２２とがある。また、第１実施形態では、ＨＤ対応のテレビジョン２１として、ＨＤ（高解像度）表示とＳＤ（標準解像度）表示とを切り替えることが可能なテレビジョンを用いた例について説明する。具体的には、図３に示すように、テレビジョン２１は、１画面表示状態と２画面表示状態とを切り替えることが可能であり、１画面表示状態の場合にはＨＤ表示を行い、２画面表示状態の場合にはＳＤ表示を行うように構成されている。
【００２６】
また、コンテンツ提供機器３は、映像、音声などを含むコンテンツのデータを無線伝送装置４に提供することが可能である。このコンテンツ提供機器３としては、第１実施形態では、ゲーム機３１およびＤＶＤプレーヤ３２が含まれる。
【００２７】
また、無線伝送装置４は、コンテンツ提供機器３から供給されたコンテンツデータを表示装置２に無線通信によって伝送する機能を有する。第１実施形態では、無線伝送装置４は、所定の場合にコンテンツデータの解像度を変換し、そのデータを圧縮した状態で無線伝送を行うように構成されている。
【００２８】
次に、図２を参照して、表示装置２、コンテンツ提供機器３および無線伝送装置４の詳細構造について説明する。なお、図２では、表示装置２については、図１に示した表示装置２を構成するテレビジョン２１、２２、携帯型音楽プレーヤ２３および携帯電話機２４に共通する構成を示している。
【００２９】
図２に示すように、コンテンツ提供機器３は、コンテンツデータを提供するデータ提供部３ａと、そのコンテンツデータをＨＤＭＩケーブル５を介して無線伝送装置４に伝送するＨＤＭＩ送信部３ｂと、データ提供部３ａおよびＨＤＭＩ送信部３ｂを制御する制御部３ｃとを含んでいる。なお、データ提供部３ａは、ゲーム機３１においてはゲーム再生部３１ａであり、ＤＶＤプレーヤ３２においてはＤＶＤ再生部３２ａである。
【００３０】
無線伝送装置４は、コンテンツ提供機器３から伝送されたコンテンツデータを受信するＨＤＭＩ受信部４ａと、コンテンツデータの解像度を変換する解像度変換部４ｂと、コンテンツデータの圧縮を行うデータ圧縮部４ｃと、データ圧縮部４ｃにおいて圧縮されたコンテンツデータを無線通信によって表示装置２に伝送する無線送受信部４ｄと、ＨＤＭＩ受信部４ａ、解像度変換部４ｂ、データ圧縮部４ｃおよび無線送受信部４ｄを制御する制御部４ｅとを含んでいる。なお、無線送受信部４ｄおよび制御部４ｅは、それぞれ、本発明の「伝送手段」および「制御部」の一例である。
【００３１】
解像度変換部４ｂでは、ＨＤのコンテンツデータをＳＤに変換することが可能である。また、ＨＤのコンテンツデータをＳＤに変換せずにそのまま出力することも可能である。解像度変換部４ｂの制御に関しては、制御部４ｅは、表示装置２がＨＤ表示に対応しているかＳＤ表示に対応しているかを判断し、かつ、表示装置２の表示状態がＨＤ表示状態かＳＤ表示状態かを判断する。そして、表示装置２がＳＤ表示に対応している場合、および表示装置２がＨＤ表示に対応しており、かつ、表示装置２の表示状態がＳＤ表示状態である場合には、ＨＤのコンテンツデータをＳＤに変換するように解像度変換部４ｂを制御する。また、表示装置２がＨＤ表示に対応している場合、および表示装置２がＨＤ表示に対応しており、かつ、表示装置２の表示状態がＨＤ表示状態である場合には、ＨＤのコンテンツデータを解像度を変換せずにそのまま出力するように解像度変換部４ｂを制御する。
【００３２】
データ圧縮部４ｃは、コンテンツデータを所定の圧縮形式によって圧縮する機能を有する。ここで、第１実施形態では、データ圧縮部４ｃは、状況に応じて低圧縮率または高圧縮率のいずれかの圧縮率に切り替えてコンテンツデータを圧縮することが可能である。データ圧縮部４ｃの制御に関しては、制御部４ｅは、コンテンツ提供機器３から提供されたコンテンツがユーザの操作に対して表示装置２に反映される映像の表示の応答性が高いことが要求されるコンテンツ（第１実施形態では、ゲームコンテンツ）である場合には、低圧縮率でゲームのコンテンツデータを圧縮するようにデータ圧縮部４ｃを制御する。また、制御部４ｅは、コンテンツ提供機器３から提供されたコンテンツがユーザの操作に対して表示装置２に反映される映像の表示の応答性が高いことが要求されない映画コンテンツやテレビジョン放送コンテンツなどの非ゲームコンテンツである場合には、高圧縮率でコンテンツデータを圧縮するようにデータ圧縮部４ｃを制御する。なお、ゲームコンテンツおよび非ゲームコンテンツは、それぞれ、本発明の「第２コンテンツ」および「第１コンテンツ」の一例である。
【００３３】
なお、映画やテレビジョン放送などでは、表示装置２における映像の遅延が生じたとしても、表示装置２の映像が全体的に一様に遅延するだけであるので、ユーザの視聴の快適性に影響はない。
【００３４】
また、無線伝送装置４の制御部４ｅは、コンテンツ提供機器３から提供されたコンテンツがゲームコンテンツであるか非ゲームコンテンツであるかを判断し、その判断結果に基づいて、上述のようにデータ圧縮部４ｃを制御する。具体的な判断方法としては、メモリ４ｆにコンテンツの種類を判別するためのデータを予め記憶させておき、そのデータと、コンテンツ提供機器３から提供されたコンテンツデータとを比較することにより、コンテンツの種類を判別する。なお、メモリ４ｆは、本発明の「記憶部」の一例である。
【００３５】
コンテンツの種類を判別するためのデータは、たとえば、ゲームコンテンツのタイトル情報など、判別する必要のあるゲームコンテンツのコンテンツデータに固有の情報である。たとえば、アクションゲーム、カーレースゲームなどのタイトル情報をメモリ４ｆに記憶させておくことにより、それらのゲームコンテンツの種類を判別することが可能である。
【００３６】
表示装置２は、無線伝送装置４から無線伝送されたコンテンツデータを受信する無線送受信部２ａと、所定の形式でデータ圧縮部４ｃにおいて圧縮されているコンテンツデータを展開する展開部２ｂと、展開したコンテンツデータをＨＤＭＩケーブル６を介して表示部２ｅ側に伝送するＨＤＭＩ送信部２ｃと、伝送されたコンテンツデータを受信するとともに、表示部２ｅに出力するＨＤＭＩ受信部２ｄと、無線送受信部２ａ、展開部２ｂ、ＨＤＭＩ送信部２ｃ、ＨＤＭＩ受信部２ｄおよび表示部２ｅを制御する制御部２ｆとを含んでいる。
【００３７】
表示装置２の制御部２ｆは、表示装置２が対応している解像度に関するデータを無線送受信部２ａを介して無線伝送装置４に送信することが可能である。また、制御部２ｆは、表示装置２の表示状態（ＨＤ表示状態またはＳＤ表示状態）を表す表示状態情報も無線送受信部２ａを介して無線伝送装置４に送信することが可能である。無線伝送装置４の制御部４ｅは、表示装置２から取得した表示装置２の解像度に関するデータおよび表示状態情報に基づいて、解像度変換部４ｂを制御するように構成されている。なお、無線伝送装置４の無線送受信部４ｄは、本発明の「取得手段」の一例である。
【００３８】
次に、図４を参照して、本発明の第１実施形態による無線伝送装置４のコンテンツデータ伝送制御について説明する。
【００３９】
まず、ステップＳ１において、無線伝送装置４の制御部４ｅは、コンテンツ提供機器３から提供されるコンテンツの解像度がＨＤであるかＳＤであるかを判断する。コンテンツ提供機器３から提供されるコンテンツの解像度がＨＤである場合には、ステップＳ２に進み、コンテンツ提供機器３から提供されるコンテンツの解像度がＳＤである場合には、ステップＳ５に進む。
【００４０】
また、ステップＳ２において、制御部４ｅは、表示装置２から無線送受信部２ａにより送信されて無線送受信部４ｄにより取得される表示装置２が対応している解像度に関するデータに基づいて、表示装置２がＨＤ表示に対応しているかＳＤ表示に対応しているかを判断する。表示装置２がＨＤ表示に対応している場合には、ステップＳ３に進み、表示装置２がＳＤ表示に対応している場合には、ステップＳ５に進む。
【００４１】
また、ステップＳ３において、制御部４ｅは、表示装置２から無線送受信部２ａにより送信されて無線送受信部４ｄにより取得される表示状態情報に基づいて、表示装置２の表示部２ｅの表示状態がＨＤ表示状態であるかＳＤ表示状態であるかを判断する。表示装置２の表示状態がＨＤ表示状態である場合には、ステップＳ４に進み、表示装置２の表示状態がＳＤ表示状態である場合には、ステップＳ５に進む。
【００４２】
以上のステップＳ１〜Ｓ３においては、制御部４ｅは、コンテンツデータの解像度をＨＤで伝送するか、ＳＤで伝送するかを判断している。ステップＳ４に進んだ場合は、コンテンツ提供機器３から提供されるコンテンツデータの解像度がＨＤであり、ＨＤのまま表示装置２に無線通信によって伝送する場合である。また、ステップＳ５に進んだ場合は、コンテンツ提供機器３から提供されるコンテンツデータの解像度がＨＤであるが表示装置２がＳＤにしか対応していないので、ＳＤに変換する必要がある場合、または、表示装置２がＳＤにしか対応していないが、コンテンツ提供機器３から提供されるコンテンツデータの解像度が元々ＳＤであるので、解像度の変換の必要がない場合である。
【００４３】
また、ＨＤで無線伝送する場合には、ステップＳ４において、制御部４ｅは、コンテンツ提供機器３から提供されたコンテンツがゲームコンテンツであるか否かを判断する。コンテンツ提供機器３から提供されたコンテンツがゲームコンテンツである場合には、ステップＳ６において、制御部４ｅは、解像度をＨＤのまま、低圧縮率でコンテンツデータを圧縮した後、そのコンテンツデータを無線送受信部４ｄを介して表示装置２に伝送する。また、コンテンツ提供機器３から提供されたコンテンツがゲームコンテンツでない場合（非ゲームコンテンツである場合）には、ステップＳ７において、制御部４ｅは、解像度をＨＤのまま、高圧縮率でコンテンツデータを圧縮した後、そのコンテンツデータを無線送受信部４ｄを介して表示装置２に伝送する。
【００４４】
また、ＳＤで無線伝送する場合には、ステップＳ５において、制御部４ｅは、コンテンツ提供機器３から提供されたコンテンツがゲームコンテンツであるか否かを判断する。コンテンツ提供機器３から提供されたコンテンツがゲームコンテンツである場合には、ステップＳ８において、制御部４ｅは、解像度をＨＤ（高解像度）からＳＤ（標準解像度）に変換し、かつ、低圧縮率でコンテンツデータを圧縮した後、そのコンテンツデータを無線送受信部４ｄを介して表示装置２に伝送する。また、コンテンツ提供機器３から提供されたコンテンツがゲームコンテンツでない場合（非ゲームコンテンツである場合）には、ステップＳ９において、制御部４ｅは、解像度をＨＤからＳＤに変換し、かつ、高圧縮率でコンテンツデータを圧縮した後、そのコンテンツデータを無線送受信部４ｄを介して表示装置２に伝送する。なお、ステップＳ８およびＳ９においては、コンテンツデータが元々ＳＤである場合には、解像度の変換は行われない。
【００４５】
第１実施形態では、上記のように、コンテンツの種類を判別するとともに、判別したコンテンツの種類に基づいて、コンテンツデータの圧縮率を切り替えるようにデータ圧縮部４ｃを制御する制御部４ｅを設けることによって、コンテンツデータの種類に応じてコンテンツデータの圧縮率を切り替えることができる。これにより、たとえば、応答性が要求される種類のコンテンツを伝送する場合には圧縮率を低くして映像の応答性が低下するのを抑制することができるとともに、応答性が要求されるコンテンツ以外の所定のコンテンツについては高い圧縮率で圧縮を行うことにより無線送受信部４ｄによって表示装置２に伝送する伝送データのデータ量を小さくすることができる。その結果、応答性が要求されるようなコンテンツの場合にも、視聴者が快適に視聴することができるとともに、応答性が要求されないような所定のコンテンツの場合に、伝送データのデータ量を小さくすることができる。
【００４６】
また、第１実施形態では、上記のように、コンテンツが非ゲームコンテンツであると判別した場合に、非ゲームコンテンツのコンテンツデータを高圧縮率で圧縮するようにデータ圧縮部４ｃを制御し、コンテンツがゲームコンテンツであると判別した場合に、ゲームコンテンツのコンテンツデータを低圧縮率で圧縮するようにデータ圧縮部４ｃを制御する。このように構成することによって、表示装置２の映像に遅延が生じた場合に視聴者の快適性が低下するような、映像の応答性が要求されるゲームコンテンツと、表示装置２の映像に遅延が生じた場合でも視聴者の快適性が低下しないような、映像の応答性が要求されない非ゲームコンテンツとを判別し、ゲームコンテンツについては圧縮率を低くしてコンテンツデータの伝送を行い、非ゲームコンテンツについては圧縮率を高くしてコンテンツデータの伝送を行うことができる。これにより、コンテンツのうち非ゲームコンテンツについては高い圧縮率で圧縮を行うことによって、表示装置２に無線伝送する伝送データのデータ量を小さくし、コンテンツのうちゲームコンテンツを伝送する場合には、圧縮率を低くして映像の応答性を確保することができる。
【００４７】
また、第１実施形態では、上記のように、コンテンツがゲームでないと判別した場合に、コンテンツのコンテンツデータを高圧縮率で圧縮するようにデータ圧縮部４ｃを制御し、コンテンツがゲームであると判別した場合に、コンテンツのコンテンツデータを低圧縮率で圧縮するようにデータ圧縮部４ｃを制御する。このように構成することによって、ゲームのようにユーザの操作に対して表示装置２に反映される映像の表示の応答性が高いことが要求されるコンテンツを伝送する場合には、圧縮率を低くして表示装置２への伝送を行うことができる。これにより、ゲームを行う場合には、ユーザの操作に対する映像の応答性が確保されるので、ユーザは快適にゲーム映像を視聴することができる。また、ゲーム以外のコンテンツについては、圧縮率を高くすることにより伝送データのデータ量を小さくすることができる。
【００４８】
また、第１実施形態では、上記のように、メモリ４ｆに予め記憶されたコンテンツの種類を判別するためのデータと、コンテンツデータとを比較することにより、コンテンツが、ゲームコンテンツ（ゲーム）であるか否かを判別している。このように構成することによって、メモリ４ｆに予め記憶させておいたコンテンツの種類を判別するためのデータを用いて、伝送対象のコンテンツがゲームコンテンツ（ゲーム）であるか否かを容易に制御部４ｅが判別することができる。
【００４９】
また、第１実施形態では、上記のように、データ圧縮部４ｃによりコンテンツデータの圧縮率を切り替えるとともに、解像度変換部４ｂによってコンテンツデータの解像度を変換している。このように構成することによって、伝送するコンテンツデータのデータ量をデータ圧縮部４ｃによって小さくするのみならず、所定の場合に解像度変換部４ｂによってコンテンツデータの解像度を下げることにより、伝送するデータ量をさらに小さくすることができる。
【００５０】
また、第１実施形態では、上記のように、表示装置２の高解像度状態または低解像度状態のいずれかの表示状態情報に基づいて、表示装置２が高解像度状態であるか低解像度状態であるかを判断するとともに、判断結果に基づいてコンテンツデータの解像度を変換するように解像度変換部４ｂを制御している。このように構成することによって、コンテンツデータが高解像度である場合に、表示装置２が低解像度状態である場合には解像度変換部４ｂによってコンテンツデータの解像度を下げることができる。これにより、表示装置２の表示状態に合わせて伝送するデータ量を小さくすることができる。
【００５１】
（第２実施形態）
次に、図５および図６を参照して、本発明の第２実施形態による無線伝送装置を用いた無線伝送システム１００について説明する。この第２実施形態では、上記第１実施形態と異なり、無線伝送装置（無線伝送部１０１ｃ）がコンテンツ提供機器１０１に組み込まれている例について説明する。
【００５２】
図５および図６に示すように、無線伝送システム１００は、表示装置２と、無線通信機能を有するコンテンツ提供機器１０１とを備えている。コンテンツ提供機器１０１は、コンテンツデータを提供するデータ提供部１０１ａと、そのコンテンツデータをＨＤＭＩケーブル５を介して無線伝送部１０１ｃに伝送するＨＤＭＩ送信部１０１ｂと、データ提供部１０１ａ、ＨＤＭＩ送信部１０１ｂおよび無線伝送部１０１ｃを制御する制御部１０１ｄとを含んでいる。すなわち、コンテンツ提供機器１０１は、データ提供部１０１ａおよびＨＤＭＩ送信部１０１ｂに加えて、無線伝送部１０１ｃを備えており、コンテンツ提供機器１０１の制御部１０１ｄは、データ提供部１０１ａおよびＨＤＭＩ送信部１０１ｂと、無線伝送部１０１ｃとの両方を制御するように構成されている。また、コンテンツ提供機器１０１は、コンテンツの種類を判別するためのデータを記憶するメモリ１０１ｅを含んでいる。コンテンツ提供機器１０１は、上記第１実施形態と同様に、ゲーム機１１１およびＤＶＤプレーヤ１１２である。
【００５３】
無線伝送部１０１ｃは、上記第１実施形態と同様に、データ提供部１０１ａから伝送されたコンテンツデータを受信するＨＤＭＩ受信部４ａと、コンテンツデータの解像度を所定の場合に変換する解像度変換部４ｂと、コンテンツデータの圧縮を行うデータ圧縮部４ｃと、データ圧縮部４ｃにおいて圧縮されたコンテンツデータを無線通信によって表示装置２に伝送する無線送受信部４ｄとを含んでいる。
【００５４】
また、無線伝送システム１００の上記以外の構成は、上記第１実施形態の無線伝送システム１と同様である。また、第２実施形態による制御部１０１ｄの制御は、上記第１実施形態の制御部４ｅの制御（図４参照）と同様であるので、説明を省略する。
【００５５】
第２実施形態では、上記のように、解像度変換部４ｂ、データ圧縮部４ｃ、無線送受信部４ｄを含む無線伝送装置（無線伝送部１０１ｃ）をコンテンツ提供機器１０１に組み込んでいる。このように構成することによって、コンテンツ提供機器１０１と、コンテンツ提供機器１０１とは別個の無線伝送装置とをケーブルなどで接続する場合と異なり、コンテンツ提供機器１０１の構成要素（データ提供部１０１ａおよびＨＤＭＩ送信部１０１ｂなど）と無線伝送部１０１ｃの構成要素（ＨＤＭＩ受信部４ａ、解像度変換部４ｂ、データ圧縮部４ｃおよび無線送受信部４ｄなど）とをコンテンツ提供機器１０１の１つの制御部１０１ｄによって制御することができる。
【００５６】
第２実施形態のその他の効果は、上記第１実施形態と同様である。
【００５７】
（第３実施形態）
次に、図７を参照して、本発明の第３実施形態による無線伝送装置を用いた無線伝送システム２００について説明する。この第３実施形態では、コンテンツデータとメモリ４ｆに記憶されたデータとの比較によってコンテンツの種類を判別する第１実施形態と異なり、ユーザの操作を受け付けることによって、操作結果に基づいてコンテンツの種類を判別する例について説明する。
【００５８】
図７に示すように、無線伝送システム２００は、表示装置２と、コンテンツ提供機器３と、コンテンツ提供機器３により提供されるコンテンツデータを表示装置２に対して無線により伝送する無線伝送装置２０１とを備えている。コンテンツ提供機器３と無線伝送装置２０１とはＨＤＭＩケーブル５によって接続されている。
【００５９】
無線伝送装置２０１は、ＨＤＭＩ受信部４ａ、解像度変換部４ｂ、データ圧縮部４ｃおよび無線送受信部４ｄを制御する制御部２０１ａを含んでいる。無線伝送装置２０１の制御部２０１ａは、コンテンツ提供機器３から提供されたコンテンツがゲームコンテンツであるか非ゲームコンテンツであるかを判断し、その判断結果に基づいて、上述のようにデータ圧縮部４ｃの圧縮率を切り替えるように制御する。具体的な判断方法としては、制御部２０１ａは、ユーザのコンテンツの種類の指示に基づいて、コンテンツの種類を判別している。すなわち、無線伝送装置２０１には、ユーザがコンテンツの種類を指示するためのユーザの操作を受け付けるための入力手段２０１ｂが設けられている。入力手段２０１ｂには、たとえば、スイッチや、ユーザによるリモコンなどの操作情報を有する信号を受信可能な受信部などが含まれる。コンテンツ提供機器３から提供されるコンテンツがゲームコンテンツであるとユーザが入力手段２０１ｂを用いて指示した場合に、制御部２０１ａは、コンテンツ提供機器３から提供されるコンテンツがゲームコンテンツであると判断する。
【００６０】
上記以外の構成は、上記第１実施形態と同様であるので、説明を省略する。また、第３実施形態による制御部２０１ａの制御は、上記したコンテンツの種類の判別方法以外については上記第１実施形態の制御部４ｅの制御（図４参照）と同様であるので、説明を省略する。
【００６１】
第３実施形態では、上記のように、ユーザが操作することによりコンテンツの種類を入力する入力手段２０１ｂを無線伝送装置２０１に設け、入力手段２０１ｂの操作結果に基づいて、コンテンツがゲームコンテンツであるか否かを判別するように構成している。このように構成することによって、コンテンツの内容を知っているユーザが伝送対象のコンテンツがゲームコンテンツであるか否かを入力手段２０１ｂを用いて無線伝送装置２０１に入力することにより、制御部２０１ａは、その入力結果に基づいて圧縮率を切り替えることができる。
【００６２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６３】
たとえば、上記第１〜第３実施形態では、データ圧縮部４ｃによって伝送データ（コンテンツデータ）を圧縮し、かつ、所定の場合に解像度変換部４ｂによってコンテンツデータの解像度を変換する例について説明したが、本発明はこれに限らず、コンテンツデータの圧縮のみ行い、コンテンツデータの解像度の変換は行わなくてもよい。
【００６４】
また、上記第１〜第３実施形態では、無線通信によりコンテンツデータを伝送する例について説明したが、本発明はこれに限らず、有線通信によりコンテンツデータを伝送してもよい。この場合、表示装置に無線受信機能は必要ない。
【００６５】
また、上記第１〜第３実施形態では、圧縮率を低圧縮率と高圧縮率との２段階で切り替える例について説明したが、本発明はこれに限らず、コンテンツの種類を３種類以上に分けて圧縮率を３段階以上で切り替えてもよい。
【００６６】
また、上記第１〜第３実施形態では、映像の応答性が要求されるコンテンツの一例としてゲームを挙げたが、ゲーム以外のコンテンツでもよい。
【００６７】
また、上記第１〜第３実施形態では、ゲームコンテンツと非ゲームコンテンツとを判別し、ゲームコンテンツについては圧縮率を低くする例について説明したが、本発明はこれに限らず、ゲームの内容に基づいて応答性が要求されるか否かを判別し、応答性が要求されるゲームのみについて低圧縮率で圧縮するようにしてもよい。たとえば、ゲームコンテンツのうち、アクションゲーム、カーレースゲームなどのように、ゲーム映像における動作速度が速く、ゲーム機におけるユーザの操作が即座に表示装置２の映像として反映される必要のあるゲーム内容を有するゲームコンテンツを応答性が要求されるコンテンツとしてもよい。
【００６８】
また、上記第１および第２実施形態では、コンテンツの種類を判別するためのデータを予め記憶させておくことによってコンテンツの種類を判別し、上記第３実施形態では、ユーザの操作に基づいてコンテンツの種類を判別する例について説明したが、本発明はこれに限られない。たとえば、無線伝送装置に接続されるコンテンツ提供機器の種類に基づいてコンテンツの種類を判別してもよい。具体的には、無線伝送装置にゲーム機が接続されている場合にはコンテンツがゲームコンテンツであると判断し、ゲーム機以外の機器が接続されている場合には非ゲームコンテンツであると判断してもよい。
【００６９】
また、上記第１〜第３実施形態では、表示装置２に無線送受信機能を有する無線送受信部２ａを設け、受信したコンテンツデータをＨＤＭＩケーブル６を介して表示部２ｅ側に送信する例について説明したが、本発明はこれに限らず、無線送受信機能を有する装置を表示機能を有する表示部（表示装置）とは別体で設け、それらの装置同士をＨＤＭＩケーブルで接続してもよい。
【００７０】
また、上記第１〜第３実施形態では、表示装置２の例としてテレビジョン２１、２２、携帯型音楽プレーヤ２３および携帯電話機２４を挙げたが、本発明はこれに限らず、映像を表示する表示機能および無線受信機能を有する他の機器でもよい。たとえば、ＰＤＡ（図示せず）、パーソナルコンピュータ（図示せず）などでもよい。
【００７１】
また、上記第１〜第３実施形態では、コンテンツ提供機器３の例としてゲーム機３１およびＤＶＤプレーヤ３２を挙げたが、本発明はこれに限らず、コンテンツを提供する他の機器でもよい。たとえば、ＢＤプレーヤ、パーソナルコンピュータ、ＳＴＢ（Ｓｅｔ−Ｔｏｐ  Ｂｏｘ）などでもよい。これらをコンテンツ提供機器３とした場合、データ提供部３ａは、ＢＤプレーヤにおいてはＢＤ再生部であり、パーソナルコンピュータにおいては、ハードディスク、ＤＶＤ再生部、データのダウンロードのための外部ネットワーク接続部などである。ＳＴＢにおいてはチューナ部である。
【符号の説明】
【００７２】
１  無線伝送システム
２  表示装置
３  コンテンツ提供機器
４  無線伝送装置（伝送装置）
４ｂ  解像度変換部
４ｃ  データ圧縮部
４ｄ  無線送受信部（伝送手段、取得手段）
４ｅ  制御部
４ｆ  メモリ（記憶部）
１００  無線伝送システム
１０１  コンテンツ提供機器（伝送装置）
１０１ｄ  制御部
１０１ｅ  メモリ（記憶手段）
２００  無線伝送システム
２０１  無線伝送装置（伝送装置）
２０１ａ  制御部
２０１ｂ  入力手段
【図１】
2011109490.tif 000003
【図２】
2011109490.tif 000004
【図３】
2011109490.tif 000005
【図４】
2011109490.tif 000006
【図５】
2011109490.tif 000007
【図６】
2011109490.tif 000008
【図７】
2011109490.tif 000009